(57)【要約】【課題】  本発明は、ユーザ所望のコンテンツを検索し易いようにユーザの感性と簡易な方法で登録できるようにする。【解決手段】  本発明は、ハードディスク１３に格納されている複数種類の楽曲のうち任意に選定された楽曲に対し、そのときのユーザの感性に応じて選択決定された当該ユーザ所望のマークでなるシンボル３１〜３５のうち何れかを対応付けて登録することにより複数種類の楽曲をシンボル３１〜３５毎に分類することができるので、ユーザは所望のマークでなるシンボル３１〜３５の何れかを楽曲毎に選択するだけの簡単な操作で、当該ユーザの感性に最も合ったシンボル３１〜３５によって複数種類の楽曲を分類することができる。【選択図】        図６
2006079198.tif 000002
【特許請求の範囲】
【請求項１】
複数種類のコンテンツを格納するコンテンツ格納手段と、
上記複数種類のコンテンツのうち任意に選定されたコンテンツに対して、そのときのユーザの感性に応じて選択決定された当該ユーザ所望のマークでなるシンボルを対応付けて登録することにより上記複数種類のコンテンツをシンボル毎に分類する登録手段と
を具えることを特徴とするコンテンツ登録装置。
【請求項２】
上記登録手段は、上記コンテンツの再生中に上記選択決定された上記シンボルを当該再生中のコンテンツに対応付けて登録する
ことを特徴とする請求項１に記載のコンテンツ登録装置。
【請求項３】
上記登録手段は、上記コンテンツに対して複数種類のシンボルを対応付けて登録する
ことを特徴とする請求項１に記載のコンテンツ登録装置。
【請求項４】
上記登録手段は、上記シンボルが選択決定されている状態で任意に選択されたコンテンツを再生したときには当該コンテンツに対して上記シンボルを自動的に対応付けて登録する
ことを特徴とする請求項１に記載のコンテンツ登録装置。
【請求項５】
上記登録手段は、上記シンボルが選択決定されている状態で任意に選択されたコンテンツを再生したときには当該コンテンツに対して上記シンボルを自動的に対応付けて登録すると共に所定の重み付けを行う
ことを特徴とする請求項１に記載のコンテンツ登録装置。
【請求項６】
上記シンボル毎に分類されて登録されたコンテンツが再生されたとき、そのコンテンツ全体の所要時間に対する再生割合に応じた重み付けを当該コンテンツに対して行う制御手段と
を具えることを特徴とする請求項１に記載のコンテンツ登録装置。
【請求項７】
コンテンツ格納手段に格納された複数種類のコンテンツのうち任意に選定されたコンテンツを認識する認識ステップと、
上記認識ステップで認識されたコンテンツに対し、そのときのユーザの感性に応じて選択決定された当該ユーザ所望のマークでなるシンボルを対応付けて登録することにより上記複数種類のコンテンツをシンボル毎に分類する登録ステップと
を具えることを特徴とするコンテンツ登録方法。
【請求項８】
複数種類のコンテンツを格納するコンテンツ格納手段と、
上記複数種類のコンテンツのうち任意に選定されたコンテンツに対して、そのときのユーザの感性に応じて選択決定された当該ユーザ所望のマークでなるシンボルを対応付けて登録することにより上記複数種類のコンテンツを上記シンボル毎に分類する登録手段と、
上記ユーザによって指定された上記シンボルに対応付けられているコンテンツを検索結果として提示する検索結果提示手段と
を具えることを特徴とするコンテンツ検索装置。
【請求項９】
上記登録手段は、上記シンボルが選択決定されている状態で任意に選択されたコンテンツを再生したときには当該コンテンツに対して上記シンボルを自動的に対応付けて登録すると共に所定の重み付けを行い、
上記検索結果提示手段は、上記シンボルに対応付けられているコンテンツを検索結果として提示する際、上記重み付けを考慮した優先順位で当該検索結果を提示する
ことを特徴とする請求項８に記載のコンテンツ検索装置。
【請求項１０】
コンテンツ格納手段に格納された複数種類のコンテンツのうち任意に選定されたコンテンツを認識する認識ステップと、
上記コンテンツの再生中にユーザの感性に応じて任意に選択決定された当該ユーザ所望のマークでなるシンボルを対応付けて登録することにより上記複数種類のコンテンツを上記シンボル毎に分類する登録ステップと、
上記ユーザによって指定された上記シンボルに対応付けられているコンテンツを検索結果として提示する検索結果提示ステップと
を具えることを特徴とするコンテンツ検索方法。
【発明の詳細な説明】
【技術分野】
【０００１】
本発明は、コンテンツ登録装置及びコンテンツ検索装置に関し、例えばポータブルハードディスクプレーヤに適用して好適なものである。
【背景技術】
【０００２】
近年、ポータブルハードディスクプレーヤにおいては、何千曲といった楽曲等のコンテンツを内蔵のハードディスクに格納しておくことが可能であり、ＣＤ(Compact Disc)やＭＤ(Mini Disc：商標)等の記録媒体を交換して用いる従来のポータブルプレーヤとは異なり、一段と使い勝手に優れたものとなっている。
【０００３】
このようなポータブルハードディスクプレーヤにおいては、何千曲もの楽曲を格納しておくことができる一方、その中からユーザ所望の楽曲だけを選んで再生する場合、ハードディスクに格納された全ての楽曲タイトルを一覧表示していたのでは所望の楽曲を探すユーザの負担が非常に大きい。
【０００４】
このような負担を軽減するべく従来のポータブルハードディスクプレーヤにおいては、音楽ジャンルやアーティスト名などの属性で所望の楽曲だけを絞り込むことにより選択肢を少なくする方法や、予めプレイリストのような任意の小分類を登録しておき、それを呼び出す方法等が用いられている。
【０００５】
一方でコンテンツを検索する情報検索システムにおいては、アイコンに関連付けられたコンテンツを検索し、当該検索したコンテンツに関する情報をユーザ端末の「アイコン回答」画面に提示し、ユーザ端末側の画面に表示されたコンテンツ案内情報から所望のコンテンツを選択させるようになされたものがある（例えば、特許文献１参照）。
【特許文献１】特開2003-271630公報
【発明の開示】
【発明が解決しようとする課題】
【０００６】
ところでかかる構成のポータブルハードディスクプレーヤにおいて属性により所望の楽曲を絞り込む方法では、ユーザの好みを反映する属性が必ずしも用意されているとは限らず、大量の楽曲の中からユーザ所望の楽曲を呼び出す方法として適当とは言えない。
【０００７】
また、ポータブルハードディスクプレーヤにおいて予めプレイリストのような任意の小分類を登録しておきそれを呼び出す方法では、ユーザの好みを反映することはできるものの小分類に対応した専用のフォルダを予め作成し、当該フォルダに楽曲を格納しておかねばならず、面倒な操作をユーザに強いることになるという問題があった。
【０００８】
本発明は以上の点を考慮してなされたもので、ユーザ所望のコンテンツをユーザの感性により簡易に登録し得るコンテンツ登録装置及びそのように登録されたコンテンツを容易に検索し得るコンテンツ検索装置を提案しようとするものである。
【課題を解決するための手段】
【０００９】
かかる課題を解決するため本発明においては、複数種類のコンテンツを格納するコンテンツ格納手段と、複数種類のコンテンツのうち任意に選定されたコンテンツに対して、そのときのユーザの感性に応じて選択決定された当該ユーザ所望のマークでなるシンボルを対応付けて登録することにより複数種類のコンテンツをシンボル毎に分類する登録手段とを設けるようにする。
【００１０】
これによりユーザは所望のマークでなるシンボルをコンテンツ毎に選択するだけの簡単な操作で、当該ユーザの感性に最も合ったシンボルによって複数種類のコンテンツを登録し分類することができる。
【００１１】
また本発明においては、複数種類のコンテンツを格納するコンテンツ格納手段と、複数種類のコンテンツのうち任意に選定されたコンテンツに対して、そのときのユーザの感性に応じて選択決定された当該ユーザ所望のマークでなるシンボルを対応付けて登録することにより複数種類のコンテンツをシンボル毎に分類する登録手段と、ユーザによって指定されたシンボルに対応付けられているコンテンツを検索結果として提示する検索結果提示手段とを設けるようにする。
【００１２】
これによりユーザは所望のマークでなるシンボルをコンテンツ毎に選択するだけの簡単な操作で、当該ユーザの感性に最も合ったシンボルによって複数種類のコンテンツを登録し分類することができ、その後ユーザの感性に合ったシンボルを指定するだけで当該ユーザのそのときの感性に合ったコンテンツだけを検索結果として確実に提示することができる。
【発明の効果】
【００１３】
本発明によれば、ユーザは所望のマークでなるシンボルをコンテンツ毎に選択するだけの簡単な操作で、当該ユーザの感性に最も合ったシンボルによって複数種類のコンテンツを登録し分類し得るコンテンツ登録装置及びコンテンツ登録方法を実現することができる。
【００１４】
また本発明によれば、ユーザは所望のマークでなるシンボルをコンテンツ毎に選択するだけの簡単な操作で、当該ユーザの感性に最も合ったシンボルによって複数種類のコンテンツを登録し分類することができ、その後ユーザの感性に合ったシンボルを指定するだけで当該ユーザのそのときの感性に合ったコンテンツだけを検索結果として確実に提示し得るコンテンツ検索装置及びコンテンツ検索方法を実現することができる。
【発明を実施するための最良の形態】
【００１５】
以下、図面について、本発明の一実施の形態を詳述する。
【００１６】
（１）ポータブルハードディスクプレーヤの外観構成
図１において、１は全体としてポータブルハードディスクプレーヤを示し、金属製ボディでなる本体ケース２の表面に再生、停止、早送り、早戻し等の各種操作を行うための操作ボタン３及び楽曲タイトル、アーティスト名、再生経過時間等の各種情報を表示する液晶ディスプレイ４が設けられている。
【００１７】
またポータブルハードディスクプレーヤ１は、側面部分に図示しないヘッドフォンジャックが設けられており、当該ヘッドフォンジャックを介して接続されるヘッドフォン５から楽曲の再生結果を出力するようになされている。
【００１８】
なおポータブルハードディスクプレーヤ１は、記憶媒体として内蔵のハードディスクを用いているため、ポータブルミニディスクプレーヤ等とは異なり本体ケース２が開閉するようなことはない。
【００１９】
（２）ポータブルハードディスクプレーヤの回路構成
図２に示すようにポータブルハードディスクプレーヤ１は、ＣＰＵ(Central Processing Unit)１０が全体を統括制御すると共に、ＲＯＭ(Read Only Memory)１１に格納された基本プログラムやアプリケーションプログラムをＲＡＭ(Random Access Memory)１２上で起動することにより、通常の再生処理及び後述する楽曲登録処理やシンボル検索処理等を実行するようになされている。
【００２０】
ポータブルハードディスクプレーヤ１は、操作ボタン３からの再生命令が与えられると、ハードディスク１３に格納された楽曲を読み出して再生処理を実行し、その再生結果をヘッドフォンジャック１５からヘッドフォン５を介して出力すると共に、そのときの再生経過時間、楽曲タイトル、アーティスト名等を液晶ディスプレイ４に表示するようになされている。
【００２１】
なおポータブルハードディスクプレーヤ１では、後述する楽曲登録処理やシンボル検索処理を行う際、操作ボタン３を介してユーザからの各種指示を受け付けるようになされている。
【００２２】
（３）楽曲登録処理手順
（３−１）手動楽曲登録処理手順
次に、ポータブルハードディスクプレーヤ１がアプリケーションプログラムである登録制御プログラムに従い、ユーザの操作に基づいて手動で楽曲を登録する場合の手動楽曲登録処理手順について図３のフローチャートを用いて具体的に説明する。
【００２３】
実際上、ポータブルハードディスクプレーヤ１のＣＰＵ１０はルーチンＲＴ１の開始ステップから入ってステップＳＰ１へ移り、図４に示すようなトップメニュー画面２０を液晶ディスプレイ４に表示し、次のステップＳＰ２へ移る。
【００２４】
ステップＳＰ２においてＣＰＵ１０は、トップメニュー画面２０におけるメインメニューの中から「手動楽曲登録」項目２１が選択されたか否かを判定し、否定結果が得られるとステップＳＰ１へ戻って上述の処理を繰り返すのに対し、肯定結果が得られると次のステップＳＰ３へ移る。
【００２５】
ステップＳＰ３においてＣＰＵ１０は、メインメニューの中から「手動楽曲登録」項目２１が選択されたことを認識すると手動楽曲登録モードへ移り、ハードディスク１３に格納されている楽曲を任意の順番で再生し、ヘッドフォンジャック１５及びヘッドフォン５を介して出力することにより実際に再生中の楽曲をユーザに聴かせ、次のステップＳＰ４へ移る。
【００２６】
ステップＳＰ４においてＣＰＵ１０は、楽曲の再生処理中に図５に示す各種アイコンでなるシンボル３１〜３５のうちの何れかが選択されたか否かを判定し、否定結果が得られるとステップＳＰ３へ戻って楽曲の再生処理を継続しながらシンボル３１〜３５が選択されるまで待ち受け、肯定結果が得られると次のステップＳＰ５へ移る。
【００２７】
このときユーザは実際に楽曲を聴き、そのときの天候や気分、車でドライブ中であるとか、夜中に聞いているとか等の各種状況の変化に伴う当該ユーザの感性によってその楽曲に相応しいと思うシンボル３１〜３５を選択する。
【００２８】
例えばユーザが楽曲を実際に聴いて、とても嬉しいと感じる場合には「ハート」マークのアイコンでなるシンボル３１を選択し、その楽曲のイメージが快晴のときに聴くのが相応しいと感じるときには「晴れ」マークのアイコンでなるシンボル３２を選択し、雨降りで気分が沈んでいるようなときに聴くのが相応しいと感じるときには「傘」マークのアイコンでなるシンボル３３を選択し、車でドライブ中に聴くのが相応しいと感じるときには「車」のアイコンでなるシンボル３４を選択することができる。
【００２９】
なおユーザは実際に楽曲を聴いてみて、酷く落ち込んでいるときに聴くのに相応しいと感じるときや、良い印象がなく聴きたくないと感じるときには「髑髏」マークのアイコンでなるシンボル３５を選択することもできる。
【００３０】
因みに、シンボル３１〜３５についてはユーザがインターネット等から任意アイコンでなるシンボルをダウンロードして用いたり、ユーザによっては楽曲を実際に聴いてとても嬉しいと感じる場合に「ハート」マークのシンボル３１ではなく、「晴れ」マークのシンボル３２を選択してもよく、ユーザの感性に合わせたシンボル３１〜３５の選択を行うことができるようになされている。
【００３１】
このような操作をユーザは図６に示す楽曲登録画面３０を介して行うようになされており、例えば網掛け処理された表示部分に対応する楽曲Ｃを聴いている最中に、そのときの感性にあった「ハート」マークのアイコンでなるシンボル３１を選択することができる。
【００３２】
ここでユーザは例えば楽曲Ａのように、そのときの感性に応じて「ハート」マークのアイコンでなるシンボル３１と「晴れ」マークのアイコンでなるシンボル３２の双方を選択することも可能であり、その組み合わせや選択するシンボル３１〜３５の個数も自由に決定することができる。
【００３３】
ステップＳＰ５においてＣＰＵ１０は、楽曲登録画面３０でシンボル３１〜３５に楽曲が対応付けられた状態でハードディスク１３に記憶することにより登録し、次のステップＳＰ６へ移る。
【００３４】
ステップＳＰ６においてＣＰＵ１０は、楽曲登録画面３０を介して楽曲Ａ〜Ｇとシンボル３１〜３５との対応関係を一覧表示することによりユーザに目視確認させ、次のステップＳＰ７へ移って処理を終了する。
【００３５】
これによりＣＰＵ１０は、ユーザが楽曲を実際に聴きながら当該ユーザの感性で選択したシンボル３１〜３５を個々の楽曲毎に対応付けて登録することができるので、当該シンボル３１〜３５毎に分けて複数種類の楽曲をユーザの感性に合わせて分類することができる。
【００３６】
（３−２）自動楽曲登録処理手順
続いて、ポータブルハードディスクプレーヤ１がアプリケーションプログラムである登録制御プログラムに従い、楽曲に対してシンボル３１〜３５を自動で登録する場合の自動楽曲登録処理手順について図７のフローチャートを用いて具体的に説明する。
【００３７】
実際上、ポータブルハードディスクプレーヤ１のＣＰＵ１０はルーチンＲＴ２の開始ステップから入ってステップＳＰ１１へ移り、トップメニュー画面２０（図４）を液晶ディスプレイ４に表示し、次のステップＳＰ１２へ移る。
【００３８】
ステップＳＰ１２においてＣＰＵ１０は、トップメニュー画面２０におけるメインメニューの中から「自動楽曲登録」項目２２が選択されたか否かを判定し、否定結果が得られるとステップＳＰ１へ戻って上述の処理を繰り返すのに対し、肯定結果が得られると次のステップＳＰ１３へ移る。
【００３９】
ステップＳＰ１３においてＣＰＵ１０は、メインメニューの中から「自動楽曲登録」項目２２が選択されたことを認識すると自動楽曲登録モードへ移り、図８に示すような自動シンボル登録画面４０を液晶ディスプレイ４に表示し、次のステップＳＰ１４へ移る。
【００４０】
ステップＳＰ１４においてＣＰＵ１０は、シンボル挿入欄４１の「今日の気分は□」の文章中における□欄４５に、ユーザの今日の気分に合った感性の楽曲を登録するため、シンボル選択欄４２のシンボル３１〜３５の中から例えば「傘」マークのアイコンでなるシンボル３３を選択し、次のステップＳＰ１５へ移る。
【００４１】
ステップＳＰ１５においてＣＰＵ１０は、ユーザによって選択されたハードディスク１３中の所望のアルバムにおける全楽曲タイトル（例えば全楽曲数４：楽曲１〜楽曲４）をタイトル表示部４３に一覧表示し、次のステップＳＰ１６へ移る。
【００４２】
ステップＳＰ１６においてＣＰＵ１０は、全楽曲タイトルのうちユーザによって選択された楽曲２及び楽曲３（網掛け処理によって示す）を再生し、ヘッドフォンジャック１５及びヘッドフォン５を介して出力することにより当該楽曲２や楽曲３をユーザに聴かせ、次のステップＳＰ１７へ移る。
【００４３】
ステップＳＰ１７においてＣＰＵ１０は、全楽曲タイトルのうち楽曲１〜楽曲４を実際に再生したか否かを１曲毎に判定し、否定結果が得られると次のステップＳＰ１８へ移ってシンボル３１〜３５と楽曲との対応付けは行わず、ステップＳＰ２２へ移って処理を了する。
【００４４】
これに対してステップＳＰ１７で肯定結果が得られると、このことは全楽曲タイトルのうち例えば楽曲２及び楽曲３を実際に再生したことを表しており、このときＣＰＵ１０は次のステップＳＰ１９へ移る。
【００４５】
ステップＳＰ１９においてＣＰＵ１０は、ユーザが実際に聴いた楽曲２や楽曲３を当該ユーザが気に入った楽曲であると判断し、図９に示すように「傘」マークのアイコンでなるシンボル３３とユーザが実際に聴いた楽曲２及び楽曲３とを自動的に対応付けてハードディスク１３に登録すると共に、図１０に示すようにその登録結果を自動シンボル登録画面４０の楽曲２及び楽曲３に対応付けたシンボル３３によって示し、次のステップＳＰ２０へ移る。
【００４６】
この自動シンボル登録画面４０では、シンボル挿入欄４１の□欄４５に対して、ユーザにより選択された「傘」マークのアイコンでなるシンボル３３が表示され、タイトル表示部４２に対して当該楽曲２、楽曲３に対応付けて登録されたシンボル３３がそれぞれ表示される。
【００４７】
ステップＳＰ２０においてＣＰＵ１０は、当該楽曲のトータル演奏時間に対する実際の再生時間の割合（以下、これを再生割合と呼ぶ）を算出し、次のステップＳＰ２１へ移る。具体的には楽曲のトータル演奏時間が５分間で、最初から４分間再生した時点でスキップする等して当該楽曲の再生が終了している場合には、再生割合が８０％であると算出し、最初から３０秒間再生した時点でスキップする等して当該楽曲の再生が終了している場合には、再生割合が１０％であると算出する。
【００４８】
ステップＳＰ２１においてＣＰＵ１０は、トータル演奏時間の再生割合に応じたポイント数（再生割合が８０％であればポイント数「８０」、再生割合が１０％であればポイント数「１０」）を付加することにより重み付け処理を行い、次のステップＳＰ２２へ移って処理を終了する。
【００４９】
この場合ＣＰＵ１０は、シンボル２３と楽曲２、楽曲３とを対応付けて登録することに加え、重み付け処理として所定値のポイントを再生割合に応じて付加することにより、当該シンボル３３に対応付けられた複数の楽曲の中で当該楽曲２、楽曲３については再生割合に応じた大きな値のポイントが付加されることになるので、シンボル３３の分類の中では楽曲２、楽曲３の優先度が高いと認識し得るようになされている。
【００５０】
（４）シンボル検索処理手順
次に、ポータブルハードディスクプレーヤ１がアプリケーションプログラムであるシンボル検索プログラムに従い、予めシンボル３１〜３５で分類されて登録された楽曲に対する検索処理を行う場合のシンボル検索処理手順について図１１のフローチャートを用いて具体的に説明する。
【００５１】
実際上、ポータブルハードディスクプレーヤ１のＣＰＵ１０はルーチンＲＴ３の開始ステップから入ってステップＳＰ３１へ移り、トップメニュー画面２０（図４）を液晶ディスプレイ４に表示し、次のステップＳＰ３２へ移る。
【００５２】
ステップＳＰ３２においてＣＰＵ１０は、トップメニュー画面２０におけるメインメニューの中から「検索」項目２５が選択されたか否かを判定し、否定結果が得られるとステップＳＰ１へ戻って上述の処理を繰り返すのに対し、肯定結果が得られると次のステップＳＰ３３へ移る。
【００５３】
ステップＳＰ３３においてＣＰＵ１０は、「検索」項目２５が選択されたことを認識すると図１２に示すようなポップアップメニュー画面５１を表示し、そのポップアップメニュー画面５１の中でシンボル検索モード５２が選択されたか否かを判定する。
【００５４】
ここで否定結果が得られると、このことはシンボル検索モード５２ではなく通常のアーティスト／アルバム検索モード５３が選択されたことを表しており、このときＣＰＵ１０は次のステップＳＰ３４へ移って、アーティスト名やアルバム名による楽曲の検索処理を実行した後、次のステップＳＰ３９へ移って処理を終了する。
【００５５】
これに対してステップＳＰ３３で肯定結果が得られると、ＣＰＵ１０は次のステップＳＰ３５へ移って、図１３に示すような手動シンボル絞込画面６０を液晶ディスプレイ４に表示し、次のステップＳＰ３６へ移る。
【００５６】
ここで手動シンボル絞込画面６０は、楽曲の検索を行うに当たってシンボル３１〜３５の何れかをユーザに選択させるためのシンボル選択欄６１と、当該シンボル選択欄６１で選択されたシンボル３１〜３５の何れかに対応付けられた複数の楽曲を検索結果として一覧表示する一覧表示部６２とによって構成されており、ユーザはその時の気分や感性にあった楽曲を聴くことを希望してシンボル選択欄６１に所望のシンボル３１〜３５を選択し得るようになされている。
【００５７】
ステップＳＰ３６においてＣＰＵ１０は、シンボル選択欄６１に対してシンボル３１〜３５のうちユーザ所望のシンボル（例えばシンボル３１）が選択されたか否かを判定し、否定結果が得られるとシンボル３１〜３５の何れかが選択されるまで待ち受け、肯定結果が得られると次のステップＳＰ３７へ移る。
【００５８】
ステップＳＰ３７においてＣＰＵ１０は、ユーザによって選択されたシンボル３１に予め対応付けられた複数の楽曲タイトルをハードディスク１３から読み出すことにより検索し、次のステップＳＰ３８へ移る。
【００５９】
ステップＳＰ３８においてＣＰＵ１０は、ステップＳＰ３７で検索した検索結果を手動シンボル絞込画面６０の一覧表示部６２に表示することにより、ユーザのそのときの気分や感性に合った楽曲リストを提示し、次のステップＳＰ３９へ移って処理を終了する。
【００６０】
このようにＣＰＵ１０は、以前にユーザが楽曲を実際に聴いたときの気分や感性に最も近いアイコンでなるシンボル３１〜３５と当該楽曲とを対応付けて登録してあるので、当該シンボル３１〜３５に対応付けられた楽曲を一覧表示部６２を介して表示することにより、ユーザの気分や感性に最も合った楽曲だけを検索結果として提示し得るようになされている。
【００６１】
ところでＣＰＵ１０は、図１４に示すように、ステップＳＰ３６において手動シンボル絞込画面６０のシンボル選択欄６１にシンボル３１〜３５のうち例えばユーザ所望のシンボル３１及び３２が複数選択されたことを認識した場合、当該２つのシンボル３１及び３２に対応付けられている楽曲タイトルを検索結果として一覧表示部６２に表示するようになされている。
【００６２】
これによりＣＰＵ１０は、１つのシンボル３１だけがシンボル選択欄６１に選択されたときよりも、シンボル３１及び３２の双方が対応付けられた楽曲タイトルだけを検索結果として提示することができるので、ユーザが複数シンボルを選択することによって楽曲検索結果を一段と絞り込むことができるようになされている。
【００６３】
（５）重み付け処理手順
ポータブルハードディスクプレーヤ１では、上述のようにＣＰＵ１０によって検索した楽曲を再生した場合に、当該再生した楽曲に対する重み付けを行うようになされており、これにより検索結果として提示する楽曲を重み付けに応じてユーザの気に入った順番に並べ替えることができ、その重み付け処理手順について図１５のフローチャートを用いて説明する。
【００６４】
実際上、ポータブルハードディスクプレーヤ１のＣＰＵ１０はルーチンＲＴ４の開始ステップから入ってステップＳＰ４１へ移り、検索結果の中からユーザにより選択された楽曲に対する再生処理が行われたか否かを判定し、否定結果が得られると、次のステップＳＰ４２へ移って楽曲の再生処理が行われておらず重み付け処理を行う必要はないと判断し、ステップＳＰ４５へ移る。
【００６５】
これに対してステップＳＰ４１で肯定結果が得られると、ＣＰＵ１０は楽曲の再生処理が実際に行われたので重み付け処理を行う必要があると判断し、次のステップＳＰ４３へ移る。
【００６６】
ステップＳＰ４３においてＣＰＵ１０は、当該楽曲のトータル演奏時間に対する実際の再生時間の割合（以下、これを再生割合と呼ぶ）を算出し、次のステップＳＰ４４へ移る。具体的には楽曲のトータル演奏時間が５分間で、最初から４分間再生した時点でスキップする等して当該楽曲の再生が終了している場合には、再生割合が８０％であると算出し、最初から３０秒間再生した時点でスキップする等して当該楽曲の再生が終了している場合には、再生割合が１０％であると算出する。
【００６７】
ステップＳＰ４４においてＣＰＵ１０は、トータル演奏時間の再生割合に応じたポイント数（再生割合が８０％であればポイント数「８０」、再生割合が１０％であればポイント数「１０」）を付加することにより重み付け処理を行い、次のステップＳＰ４５へ移る。
【００６８】
ステップＳＰ４５においてＣＰＵ１０は、ステップＳＰ４４で重み付け処理を行ったことにより当該シンボル３１に対応付けられた複数の楽曲を検索結果として提示する際にポイント数の高い方の楽曲から順番に並べて表示できるように当該複数の楽曲を予めポイント数の順番に従って並べ替えておき、次のステップＳＰ４６へ移って処理を終了する。
【００６９】
因みにＣＰＵ１０は、楽曲毎のポイント数を基に検索結果として楽曲タイトルを提示する際の優先順位を決定するのであるが、手動シンボル絞込画面６０を介してシンボル３１を表示する際に当該ポイント数に応じた輝度レベルに設定して表示するようになされており、これによりユーザに対して輝度レベルの高いシンボル３１の付加された楽曲については優先順位の高い楽曲であることを視覚的に認識させることができる。
【００７０】
（６）動作及び効果
以上の構成において、ポータブルハードディスクプレーヤ１では、シンボル３１〜３５の中からユーザの心理状態や感性に合ったいずれかのシンボルを任意に選択し、当該選択したシンボルと楽曲とを対応付けて登録することにより、従来のようなアーティスト単位やアルバム単位に分けて登録する場合に比べてユーザの嗜好や感性を最もよく反映させた状態で楽曲の分類を行うことができる。
【００７１】
またポータブルハードディスクプレーヤ１では、最初にシンボル３１〜３５の何れかを選択しておき、その後に再生した楽曲についてのみ当該再生した楽曲と当該選択したシンボルとを自動的に対応付けて自動的に登録することにより、手動登録に比べて一層容易に楽曲の分類分けを行うことができる。
【００７２】
このようにしてポータブルハードディスクプレーヤ１では、楽曲の分類分けを行うことによりユーザの嗜好や感性に合ったシンボル３１〜３５毎のいわゆるフォルダを作成することができるため、従来のようにフォルダの作成意識をユーザに持たせることもなく、かつフォルダ作成時の煩わしさをユーザに感じさせることもない。
【００７３】
ポータブルハードディスクプレーヤ１では、シンボル検索処理手順（ＲＴ３）に従ってユーザのそのときの気分やフィーリングに合った例えばシンボル３１を選択させるだけで、当該シンボル３１に対応付けられた複数の楽曲タイトルをハードディスク１３から読み出し、これを検索結果として手動シンボル絞込画面６０の一覧表示部６２に表示することができるので、ユーザ自身の嗜好に合った楽曲だけを検索結果として提示することができる。
【００７４】
その後、ポータブルハードディスクプレーヤ１では、検索結果の中からユーザによって選択された楽曲を再生したとき、トータル演奏時間に対する実際の再生割合に応じたポイント数を付加して重み付け処理を行うことにより、以後の検索結果を提示する際にポイント数の高い楽曲から順番にその楽曲タイトルを表示することができ、かくしてユーザの再生操作を通じて当該ユーザの嗜好をポイント数という形で登録結果に反映させることができる。
【００７５】
言い換えればポータブルハードディスクプレーヤ１では、シンボル毎に登録した複数の楽曲をシンボル毎のデータベースと考え、これをユーザの再生操作を通じて楽曲のポイント数を変更していくことにより、当該楽曲を再生処理する度に当該データベースをリアルタイムに進化させて現時点におけるユーザの嗜好や感性に随時近づけていくことができる。
【００７６】
なおポータブルハードディスクプレーヤ１では、手動シンボル絞込画面６０（図１３）でシンボル３１〜３５のうちユーザ所望のシンボル３１を指定するだけで当該指定したシンボル３１に対応付けられた楽曲Ａ、Ｂ、Ｃ及びＧの楽曲タイトルを一覧表示し、ユーザの嗜好や感性に合った当該楽曲Ａ、Ｂ、Ｃ及びＧを再生することができるので、当該楽曲Ａ、Ｂ、Ｃ及びＧをユーザに聴取させながら以前ユーザ自身で楽曲を登録した時点の感覚やフィーリングを思い出させるきっかけを与えることもできるといった副次的な作用をもたらすことができる。
【００７７】
以上の構成によれば、ポータブルハードディスクプレーヤ１は、シンボル３１〜３５の中からユーザの心理状態や感性に会った何れかを任意に選択し、当該選択したシンボルと楽曲とを対応付けて登録することにより、簡易な方法で当該ユーザの嗜好や感性を最もよく反映させた楽曲の分類分けを行うことができる。
【００７８】
またポータブルハードディスクプレーヤ１は、楽曲がシンボル３１〜３５毎に分類されているので、シンボル３１〜３５の中からユーザのそのときの感性に合った任意のシンボルが選択されるだけで、当該ユーザの嗜好や感性を最も良く反映した楽曲タイトルだけを検索結果として提示することができる。
【００７９】
（７）他の実施の形態
なお上述の実施の形態においては、アイコンでなるシンボル３１〜３５を用いるようにした場合について述べたが、本発明はこれに限らず、文字や静止画、パーソナルコンピュータの壁紙、携帯電話機の待ち受け画面等のユーザが視覚的に認識可能で当該ユーザの感性に合ったマークであればその他種々のシンボルを用いるようにしても良い。
【００８０】
また上述の実施の形態においては、楽曲を実際に聴きながらシンボル３１〜３５の何れかを選択して当該楽曲とシンボル３１〜３５とを対応付けるようにした場合について述べたが、本発明はこれに限らず、最初にシンボル３１〜３５の何れかを選択決定した後、その選択決定したシンボルに合った楽曲をユーザが聴くことなしに選択して対応付けるようにしても良い。
【００８１】
さらに上述の実施の形態においては、シンボル検索処理手順としてユーザにより選択された例えばシンボル３１に対応付けられた複数の楽曲タイトルを手動シンボル絞込画面６０（図１３）を介して提示するようにした場合について述べたが、本発明はこれに限らず、例えば楽曲Ａのようにシンボル３１と一緒に対応付けられているシンボル３２については当該シンボル３１と一定の関連性を有すると判断し、シンボル３１に対応付けられた複数の楽曲タイトルを検索結果として提示した後に、シンボル３２に対応付けられた楽曲タイトルを検索結果として提示するようにしても良い。なお、このときＣＰＵ１０は、一度提示した楽曲Ａ及び楽曲Ｇについては優先度を下げて他のまだ提示していない楽曲タイトルを優先して提示するようにする。
【００８２】
さらに上述の実施の形態においては、楽曲のトータル演奏時間に対する再生割合に応じたポイント数を付加することにより重み付け処理を行うようにした場合について述べたが、本発明はこれに限らず、例えば極短い例えば１０秒間以下の再生時間であれば、重み付け処理を行わないようにしたり、楽曲のトータル演奏時間を全て再生したときに限って重み付け処理を行うようにする等のその他種々の重み付け処理を行うようにしても良い。
【００８３】
さらに上述の実施の形態においては、シンボル３１〜３５と対応付けて登録するコンテンツとして楽曲を対象とするようにした場合について述べたが、本発明はこれに限らず、静止画や動画等の画像ファイル、テキストデータファイル等、その他種々のコンテンツを対象とするようにしても良い。
【００８４】
さらに上述の実施の形態においては、ユーザが選択したシンボル３１〜３５の何れかと楽曲とを対応付けて登録するようにした場合について述べたが、本発明はこれに限らず、ポータブルハードディスクプレーヤ１が時計機能、カレンダー機能、温度計測機能等を有している場合にはユーザがシンボル３１〜３５を選択しなくても時刻に基づいて「昼」を示すアイコンでなるシンボルや「夜」を示すアイコンでなるシンボル、季節を示すアイコンでなるシンボル、寒暖を示すアイコンでなるシンボルを再生した楽曲に対応付けて登録するようにしておき、ユーザが対応付けたシンボル３１〜３５に対して補助的に付け加えて登録するようにしても良い。
【００８５】
さらに上述の実施の形態においては、手動楽曲登録処理手順や自動楽曲登録処理手順に従ってシンボル３１〜３５と楽曲とを対応付けて登録するようにした場合について述べたが、本発明はこれに限らず、シンボル検索処理手順に従って検索した楽曲を再生している最中に、そのときの気分に合ったシンボルを新たに追加して登録したり、削除するようにしても良い。
【００８６】
この場合、ポータブルハードディスクプレーヤ１ではシンボル３１〜３５に対応付けた登録結果が随時変更されることになるので、その後の検索結果についても変化させることになりユーザを飽きさせずに済みエンターテインメント性を向上させることができる。
【００８７】
さらに上述の実施の形態においては、楽曲単位でシンボル３１〜３５を対応付けて登録するようにした場合について述べたが、本発明はこれに限らず、アルバム単位でシンボル３１〜３５を対応付けて登録するようにしても良い。
【００８８】
さらに上述の実施の形態においては、本発明のコンテンツ登録装置又はコンテンツ検索装置をポータブルハードディスクプレーヤ１に適用するようにした場合について述べたが、本発明はこれに限らず、複数種類の楽曲やファイル等の各種データを大量に格納し得る記憶手段を用いるパーソナルコンピュータ、サーバや大容量のリムーバブルメディアを用いたＰＤＡ（Personal Digital Assistant）等の他の種々の電子機器に本発明を適用するようにしても良い。
【００８９】
さらに上述の実施の形態においては、本発明のコンテンツ登録装置としてのポータブルハードディスクプレーヤ１をコンテンツ格納手段としてのハードディスク１３と、登録手段としてのＣＰＵ１０とによって構成するようにした場合について述べたが、本発明はこれに限らず、半導体メモリでなるコンテンツ格納手段やマイクロコンピュータでなる登録手段等のその他種々の回路構成でコンテンツ登録装置を構成するようにしても良い。
【００９０】
さらに上述の実施の形態においては、本発明のコンテンツ検索装置としてのポータブルハードディスクプレーヤ１をコンテンツ格納手段としてのハードディスク１３と、登録手段としてのＣＰＵ１０と、検索結果提示手段としてのＣＰＵ１０及び液晶ディスプレイ４とによって構成するようにした場合について述べたが、本発明はこれに限らず、半導体メモリでなるコンテンツ格納手段やマイクロコンピュータでなる登録手段、マイクロコンピュータとＣＲＴ(Cathode Ray Tube Display)モニタ装置のその他種々の回路構成でコンテンツ検索装置を構成するようにしても良い。
【産業上の利用可能性】
【００９１】
本発明のコンテンツ登録装置及びコンテンツ検索装置は、例えばコンテンツを大量に格納している記憶媒体にコンテンツを検索し易く登録するような用途に適用することができる。
【図面の簡単な説明】
【００９２】
【図１】ポータブルハードディスクプレーヤの概観構成を示す略線的斜視図である。
【図２】ポータブルハードディスクプレーヤの回路構成を示す略線的ブロック図である。
【図３】手動楽曲登録処理手順の説明に供するフローチャートである。
【図４】トップメニュー画面を示す略線図である。
【図５】シンボル一覧を示す略線図である。
【図６】楽曲登録画面を示す略線図である。
【図７】自動楽曲登録処理手順の説明に供するフローチャートである。
【図８】自動シンボル登録画面（１）を示す略線図である。
【図９】楽曲とシンボルとの対応付けの説明に供する略線図である。
【図１０】自動シンボル登録画面（２）を示す略線図である。
【図１１】シンボル検索処理手順の説明に供するフローチャートである。
【図１２】ポップアップ画面を示す略線図である。
【図１３】手動シンボル絞込画面（１）を示す略線図である。
【図１４】手動シンボル絞込画面（２）を示す略線図である。
【図１５】重み付け処理手順の説明に供するフローチャートである。
【符号の説明】
【００９３】
１……ポータブルハードディスクプレーヤ、２……本体ケース、３……操作ボタン、４……液晶ディスプレイ、５……ヘッドフォン、１０……ＣＰＵ、１１……ＲＯＭ、１２……ＲＡＭ、１３……ハードディスク、１５……ヘッドフォンジャック、２０……トップメニュー画面、３０……楽曲登録画面、３１〜３５……シンボル、４０……自動シンボル登録画面、５０……自動登録結果画面、５１……ポップアップ画面、６０……手動シンボル絞込画面、６１……シンボル選択欄、６２……一覧表示部。
【図１】
2006079198.tif 000003
【図２】
2006079198.tif 000004
【図３】
2006079198.tif 000005
【図４】
2006079198.tif 000006
【図５】
2006079198.tif 000007
【図６】
2006079198.tif 000008
【図７】
2006079198.tif 000009
【図８】
2006079198.tif 000010
【図９】
2006079198.tif 000011
【図１０】
2006079198.tif 000012
【図１１】
2006079198.tif 000013
【図１２】
2006079198.tif 000014
【図１３】
2006079198.tif 000015
【図１４】
2006079198.tif 000016
【図１５】
2006079198.tif 000017